(57)【要約】【課題】床に畳を設置する場合にも室内のバリアフリーを維持可能な床材であって、美観にも配慮した床材を提供することを課題とする。【解決手段】床に設置された畳１１の外縁に沿って設置された状態で、床面から畳１１の上面に向けて上りスロープを形成する畳縁１２１と、畳縁１２１を床または畳１１に固定する固定部１２３，１２４と、を備える畳縁様床材１２とした。【選択図】図１
2018012974.tif 000002
【特許請求の範囲】
【請求項１】
床に設置された畳の外縁に沿って設置された状態で、床面から該畳の上面に向けて上りスロープを形成する畳縁と、
前記畳縁を床または畳に固定する固定部と、
を備える畳縁様床材。
【請求項２】
床に設置された畳の外縁に沿って設置された状態で、床面から該畳の上面に向けて上りスロープを形成する基材を更に備え、
前記畳縁は、少なくとも前記基材の上面を覆う、
請求項１に記載の畳縁様床材。
【請求項３】
前記畳縁は、前記基材の上面及び前記畳の外縁上部を覆う、
請求項２に記載の畳縁様床材。
【請求項４】
前記固定部は、前記畳縁の裏面に設けられ、該畳縁を前記畳の外縁上部に貼り付く畳面貼付部を有する、
請求項３に記載の畳縁様床材。
【請求項５】
前記固定部は、前記基材を床に貼り付ける床面貼付部を有する、
請求項１から４の何れか一項に記載の畳縁様床材。
【請求項６】
前記固定部は、前記畳縁の裏面に設けられた貼付部を有し、
前記畳縁は、床に設置された前記畳の外縁に沿って設置された状態で、前記貼付部のうち畳縁短手方向内側の部分が前記畳の外縁上部に貼り付き、短手方向外側の部分が床面に貼り付くことで、該畳縁によって該畳の外縁部分を床面に向けて圧縮し、床面から該畳の上面に向けて上りスロープを形成する、
請求項１に記載の畳縁様床材。
【請求項７】
少なくとも畳表を有する厚さ５．０ｍｍ以下の畳と、
床に設置された前記畳の外縁に沿って設置された状態で、床面から該畳の上面に向けて上りスロープを形成する畳縁と、
前記畳縁を床または畳に固定する固定部と、
を備える畳様床材。
【請求項８】
前記固定部は、前記畳縁の裏面に設けられた貼付部を有し、
前記畳縁は、床に設置された前記畳の外縁に沿って設置された状態で、前記貼付部のうち畳縁短手方向内側の部分が前記畳の外縁上部に貼り付き、短手方向外側の部分が床面に貼り付くことで、該畳縁によって該畳の外縁部分を床面に向けて圧縮し、床面から該畳の上面に向けて上りスロープを形成する、
請求項７に記載の畳様床材。
【発明の詳細な説明】
【技術分野】
【０００１】
本開示は、畳及び畳縁（たたみべり）に関する。
【背景技術】
【０００２】
従来、施工や取り扱いの簡便性を向上させた畳が種々提案されている（特許文献１及び２を参照）。
【先行技術文献】
【特許文献】
【０００３】
【特許文献１】特開２００２−２２７３８８号公報
【特許文献２】特開２００２−２９４９８９号公報
【発明の概要】
【発明が解決しようとする課題】
【０００４】
従来、施工や取り扱いの簡便性を向上させた畳が種々提案されており、これらの畳によれば、フローリング等の床に載置するのみで室内に畳の空間を創出することが可能である。しかし、従来提案されている畳を床に載置した場合、床面との段差が生じ、設置した室内がバリアフリーにならない（例えば、国土交通省が定める、段差を設計３ｍｍ以下、施工５ｍｍ以下とするバリアフリー基準を満たさない）という問題があった。
【０００５】
本開示にかかる技術は、上記した問題に鑑み、床に畳を設置する場合にも室内のバリアフリーを維持可能な床材であって、美観にも配慮した床材を提供することを課題とする。
【課題を解決するための手段】
【０００６】
本開示の一つの側面は、床に設置された畳の外縁に沿って設置された状態で、床面から該畳の上面に向けて上りスロープを形成する畳縁と、前記畳縁を床または畳に固定する固定部と、を備える畳縁様床材である。
【０００７】
また、本開示の一つの側面は、少なくとも畳表を有する厚さ５．０ｍｍ以下の畳と、床に設置された前記畳の外縁に沿って設置された状態で、床面から該畳の上面に向けて上りスロープを形成する畳縁と、前記畳縁を床または畳に固定する固定部と、を備える畳様床材である。
【０００８】
また、前記畳縁様床材は、床に設置された畳の外縁に沿って設置された状態で、床面から該畳の上面に向けて上りスロープを形成する基材を更に備え、前記畳縁は、少なくとも前記基材の上面を覆ってもよい。
【０００９】
また、前記畳縁は、前記基材の上面及び前記畳の外縁上部を覆ってもよい。
【００１０】
また、前記固定部は、前記畳縁の裏面に設けられ、該畳縁を前記畳の外縁上部に貼り付ける畳面貼付部を有してもよい。
【００１１】
また、前記固定部は、前記基材を床に貼り付ける床面貼付部を有してもよい。
【００１２】
また、前記固定部は、前記畳縁の裏面に設けられた貼付部を有し、前記畳縁は、床に設置された前記畳の外縁に沿って設置された状態で、前記貼付部のうち畳縁短手方向内側の部分が前記畳の外縁上部に貼り付き、短手方向外側の部分が床面に貼り付くことで、該畳縁によって該畳の外縁部分を床面に向けて圧縮し、床面から該畳の上面に向けて上りスロープを形成してもよい。
【発明の効果】
【００１３】
本開示に係る技術によれば、床に畳を設置する場合にも室内のバリアフリーを維持可能な床材であって、美観にも配慮した床材を提供することが可能となる。
【図面の簡単な説明】
【００１４】
【図１】実施形態に係る畳様床材１を示す平面図及び断面図である。
【図２】実施形態に係る畳縁様床材の第一の実施形態を示す断面図である。
【図３】実施形態に係る畳縁様床材の第二の実施形態を示す断面図である。
【図４】実施形態に係る畳縁様床材のバリエーション（１）を示す断面図である。
【図５】実施形態に係る畳縁様床材のバリエーション（２）を示す断面図である。
【発明を実施するための形態】
【００１５】
以下、本開示に係る畳縁様床材及び畳様床材の実施の形態を、図面に基づいて説明する。但し、以下に説明する実施の形態は、実施形態を例示するものであって、本開示に係る畳縁様床材及び畳様床材を以下に説明する具体的構成に限定するものではない。実施にあたっては、実施形態に応じた具体的構成が適宜採用され、また、種々の改良や変形が行われてよい。
【００１６】
図１は、本実施形態に係る畳様床材１を示す平面図及び断面図である。ここで、断面図は、平面図におけるＡ−Ａ断面を示す。本実施形態に係る畳様床材１は、畳１１と、畳１１の外縁に沿って設置される畳縁様床材１２（以下、畳縁様床材のバリエーションに応じて、符号に添字ａからｄを付す）を備える。このため、本実施形態において用いられる畳１１は、畳縁を有さないものであってよい。
【００１７】
なお、本実施形態において、畳縁様床材１２は、フローリング等の床に設置された畳１１の外縁に沿って設置された状態で、床面から畳１１の上面に向けて上りスロープを形成する。このような畳縁様床材１２を用いることで、室内のバリアフリーを維持したまま、簡便に畳１１を設置するリフォーム等を施すことができる。また、畳縁様床材１２がスロープを兼ねており、畳縁１２１に用いる布の色及び柄は様々なものが選択可能であるため、美観を損なうことなく、バリアフリーに畳を設置することが出来る。
【００１８】
また、ここで用いられる畳１１は、旧来の畳に限定されない。畳表はイグサ以外の材料が用いられたものであってもよいし、厚さも旧来の畳に比べて薄くてもよい。例えば、畳表の裏に薄い芯材と貼付面とを設け、厚さの合計を設計３．０ｍｍ以下、施工５．０ｍｍ以下とすれば、本実施形態にかかるスロープ状の畳縁様床材１２が省略された場合でも、室内のバリアフリーを維持したまま、簡便に畳を設置することができる。
【００１９】
＜第一の実施形態＞
図２は、本実施形態に係る畳縁様床材の第一の実施形態を示す断面図である。本実施形態において、畳縁様床材１２ａは、畳縁１２１と、基材１２２と、床面貼付部１２３と、畳面貼付部１２４と、を備える。ここで、基材１２２、床面貼付部１２３及び畳面貼付部１２４は、畳縁１２１を床または畳１１に固定する固定部に相当する。
【００２０】
基材１２２は、床に設置された畳１１の外縁に沿って設置された状態で、床面から畳１１の上面に向けて上りスロープを形成する。基材１２２は、木材または樹脂製素材等で構成することが出来るが、基材１２２に用いられる材料は限定されない。また、基材１２２の底面には、基材１２２を床に貼り付ける床面貼付部１２３設けられる。なお、床面貼付部１２３を、フローリング等の床に対して着脱可能な程度の貼付強度を有するものとすることで、畳様床材１の設置及び配置換えを容易にすることが出来る。
【００２１】
畳縁１２１は、基材１２２の上面に接着等で固定される布であり、基材１２２の上面及び畳１１の外縁上部を覆うことで、床面から畳１１の上面に向けて上りスロープを形成する。畳縁１２１が畳１１の外縁上部を覆うことで、畳１１の縁の部分を隠すことができ、より旧来の畳に近い外観を持たせることができる。
【００２２】
また、畳縁１２１の裏面のうち、畳１１の外縁上部を覆う部分には、畳縁１２１を畳１１の上面に貼り付ける畳面貼付部１２４が設けられる。また、床面貼付部１２３と同様、畳面貼付部１２４を、畳表に対して着脱可能な程度の貼付強度を有するものとすることで、畳縁様床材１２ａの設置及び配置換えを容易にすることが出来る。
【００２３】
なお、本実施形態において、貼付部（床面貼付部１２３及び畳面貼付部１２４）には、接着剤を使用せずに、繰り返し貼ったり剥がしたりすることが可能な吸着シートが用いられる。このような吸着シートを用いることで、本開示に係る床材の貼付及び剥離が何度でも可能となる。また、接着剤を使用しないため、貼付部を剥がした後で床に糊が残らない。但し、貼付部に吸着シートを採用するのは本開示の技術を実施する際の一実施形態であり、貼付部には、接着、粘着、吸着によって貼り付け可能なその他の素材の他、面ファスナーやピン等の様々な貼付手段が採用されてよい。
【００２４】
＜第二の実施形態＞
図３は、本実施形態に係る畳縁様床材の第二の実施形態を示す断面図である。本実施形態において、畳縁様床材１２ｂは、畳縁１２１と、床面貼付部１２３と、畳面貼付部１２４と、を備える。ここで、床面貼付部１２３及び畳面貼付部１２４は、畳縁１２１を床または畳１１に固定する固定部に相当する。即ち、第二の実施形態に係る畳縁様床材１２ｂでは、第一の実施形態の基材１２１が省略されている。以下、第二の実施形態について、第一の実施形態との差分を中心に説明する。
【００２５】
第二の実施形態において、畳縁１２１の裏面には、床及び畳に貼付け可能な貼付部（床面貼付部１２３及び畳面貼付部１２４）が設けられる。畳縁１２１は、床に設置された畳１１の外縁に沿って設置された状態で、畳面貼付部１２４（貼付部のうち、畳縁１２１短手方向内側の部分）が畳１１の外縁上部に貼り付き、床面貼付部１２３（貼付部のうち、畳縁１２１短手方向外側の部分）が床面に貼り付く。
【００２６】
この際、畳縁１２１は、床面貼付部１２３と畳面貼付部１２４との間で引っ張られるように（畳縁１２１の短手方向に張力が発生するように）貼り付けられる。これによって、畳縁１２１が、畳１１の外縁部分を床面に向けて圧縮し、床面から畳の上面に向けて上りスロープが形成される（図３を参照）。なお、畳縁１２１が固定された際に畳１１の縁を圧縮するために、畳縁には、伸縮性が小さく且つ丈夫な布材が用いられることが好ましい。
【００２７】
また、第一の実施形態と同様、床面貼付部１２３及び畳面貼付部１２４を、床面及び畳表に対して着脱可能な程度の貼付強度を有するものとすることで、畳縁様床材１２ｂの設置及び配置換えを容易にすることが出来る。
【００２８】
＜バリエーション＞
上記説明した実施の形態は、実施形態を例示するものであって、本開示に係る畳縁様床材及び畳様床材を上記説明した具体的構成に限定するものではない。実施にあたっては、実施形態に応じた具体的構成が適宜採用され、また、種々の改良や変形が行われてよい。
【００２９】
図４及び図５は、本実施形態に係る畳縁様床材のバリエーションを示す断面図である。図４及び図５に示した畳縁様床材１２ｃ、１２ｄでは、畳縁１２１は畳１１の縁を覆わず、畳１１の上面にも貼り付けられない。また、図５に示した畳縁様床材１２ｄでは、畳縁１２１は、基材１２２の、畳１１に接する側面を覆っている。図４及び図５に示されたような実施態様でも、室内のバリアフリーを維持したまま、美観を損なうことなく簡便に畳を設置することができる。
【００３０】
＜効果＞
上記説明した実施形態に係る畳様床材１及び畳縁様床材１２（１２ａ−１２ｄ）によれば、室内のバリアフリーを維持したまま、美観を損なうことなく簡便に畳を設置することができる。また、貼付部が着脱可能な程度の貼付強度を有することで、簡単に畳を剥がして掃除をすることが出来る。更に、ポリプロピレン等の樹脂を用いた防水性の畳表を用いれば、畳１１自体も丸洗いをすることが可能である。
【００３１】
また、本開示に係る畳様床材及び畳縁様床材によれば、和室や一部の洋室に限定されていた畳敷を、あらゆる床において実現することが可能となる。その適用範囲も、住宅、非住宅の別、新築、リフォームの別を問わない。また、住宅では、和室、洋室、居間、台所、洗面所、便所のみならず、浴室等あらゆる床面が対象となり、適用可能な床も、フローリング、タイル、合板等の何れであってもよい。更に、本開示に係る畳様床材及び畳縁様床材は、着脱可能な貼付部を有しているため、床施工業者のみならず、一般居住者でも容易に施工が可能である。
【符号の説明】
【００３２】
１  畳様床材
１１  畳
１２  畳縁様床材
１２１  畳縁
１２２  基材
１２３、１２４  貼付部
【図１】
2018012974.tif 000003
【図２】
2018012974.tif 000004
【図３】
2018012974.tif 000005
【図４】
2018012974.tif 000006
【図５】
2018012974.tif 000007